(57)【要約】【課題】本発明は補聴器において、その電池の寿命を長くすることを目的とするものである。【解決手段】そしてこの目的を達成するために、本発明は、ゲイン調整器１３は、周波数分析器８とゲイン設定器９の間にその入力側が接続されたチャンネルパワー演算部１４と、このチャンネルパワー演算部１４の出力側に並列接続された飽和ゲイン抑圧部１５及びゲインテーブル参照部１６とを有し、前記ゲインテーブル参照部１６の出力を飽和ゲイン抑圧部１５に接続すると共に、この飽和ゲイン抑圧部１５に閾値設定部１７の出力側を接続し、前記飽和ゲイン抑圧部１５の出力側を前記ゲイン設定器９に接続した。【選択図】図２
2010171674.tif 000002
【特許請求の範囲】
【請求項１】
マイクロホンと、
このマイクロホンの出力側に接続されたＡＤ変換器と、
このＡＤ変換器の出力側に接続された周波数分析器と、
この周波数分析器の出力側に接続されたゲイン設定器と、
このゲイン設定器の出力側に接続された周波数合成器と、
この周波数合成器の出力側に接続されたＤＡ変換器と、
このＤＡ変換器の出力側に接続されたレシーバーと、
前記周波数分析器とゲイン設定器の間に、その入力側が接続され、その出力側が前記ゲイン設定器に接続されたゲイン調整器とを備え、
前記ゲイン調整器は、
前記周波数分析器とゲイン設定器の間にその入力側が接続されたチャンネルパワー演算部と、
このチャンネルパワー演算部の出力側に並列接続された飽和ゲイン抑圧部及びゲインテーブル参照部とを有し、
前記ゲインテーブル参照部の出力を飽和ゲイン抑圧部に接続すると共に、この飽和ゲイン抑圧部に閾値設定部の出力側を接続し、
前記飽和ゲイン抑圧部の出力側を前記ゲイン設定器に接続した補聴器。
【請求項２】
閾値設定部における閾値を前記レシーバーの出力音圧の上限値に基づいて決定する請求項１に記載の補聴器。
【請求項３】
チャンネルパワー演算部は、５チャンネルに分割すると共に、この５チャンネル毎の出力を合算する構成とした請求項１または２に記載の補聴器。
【請求項４】
チャンネル１からチャンネル５の周波数帯域幅は、チャンネル２＜チャンネル１＜チャンネル３＜チャンネル４＜チャンネル５と設定した請求項３に記載の補聴器。
【請求項５】
チャンネル３は、略６００〜略１４００ヘルツとした請求項４に記載の補聴器。
【請求項６】
チャンネル２は、略４００〜略６００ヘルツとした請求項４または５に記載の補聴器。
【請求項７】
チャンネル１は、略４００ヘルツ以下とした請求項４から６のいずれか一項に記載の補聴器。
【請求項８】
チャンネル４は、略１４００ヘルツ以上とした請求項４から７のいずれか一項に記載の補聴器。
【発明の詳細な説明】
【技術分野】
【０００１】
本発明は、補聴器に関するものである。
【背景技術】
【０００２】
補聴器の信号処理には、サブバンド方式と、ＦＦＴ方式があるが、ＦＦＴ方式の方が応答性が速いので脚光を浴びている。このＦＦＴ方式の構造は、以下のようになっている（例えば、特許文献１参照）。
【０００３】
即ち、マイクロホンと、このマイクロホンの出力側に接続されたＡＤ（Ａｎａｌｏｇ  ｔｏ  Ｄｉｇｉｔａｌ）変換器と、このＡＤ変換器の出力側に接続された周波数分析器と、この周波数分析器の出力側に接続されたゲイン設定器と、このゲイン設定器の出力側に接続された周波数合成器と、この周波数合成器の出力側に接続されたＤＡ（Ｄｉｇｉｔａｌ  ｔｏ  Ａｎａｌｏｇ）変換器と、このＤＡ変換器の出力側に接続されたレシーバーと、前記周波数分析器とゲイン設定器の間に、その入力側が接続され、その出力側が前記ゲイン設定器に接続されたゲイン調整器とを備えた構成となっている。
【特許文献１】特開平６−１０５３９９号公報
【発明の開示】
【発明が解決しようとする課題】
【０００４】
上記従来例における課題は、電池寿命が短くなってしまうということであった。即ち、従来例において、マイクロホンに入力される音が大きくなってしまった場合には、周波数合成器においても、その大きくなった音を処理するために、広いビット幅が必要となり、そしてこの様に、周波数合成器のビット幅が広がれば、当然のこととして、その出力側のＤＡ変換器のビット幅も広くなり、この結果として、これら周波数合成器及びＤＡ変換器における電力消費は大きくなり、このことが、電池寿命を短くさせてしまうのであった。
【０００５】
そこで、本発明は、電池寿命を長くさせることを目的とするものである。
【課題を解決するための手段】
【０００６】
そしてこの目的を達成するために、本発明は、マイクロホンと、このマイクロホンの出力側に接続されたＡＤ変換器と、このＡＤ変換器の出力側に接続された周波数分析器と、この周波数分析器の出力側に接続されたゲイン設定器と、このゲイン設定器の出力側に接続された周波数合成器と、この周波数合成器の出力側に接続されたＤＡ変換器と、このＤＡ変換器の出力側に接続されたレシーバーと、前記周波数分析器とゲイン設定器の間に、その入力側が接続され、その出力側が前記ゲイン設定器に接続されたゲイン調整器とを備え、前記ゲイン調整器は、前記周波数分析器とゲイン設定器の間にその入力側が接続されたチャンネルパワー演算部と、このチャンネルパワー演算部の出力側に並列接続された飽和ゲイン抑圧部及びゲインテーブル参照部とを有し、前記ゲインテーブル参照部の出力を飽和ゲイン抑圧部に接続すると共に、この飽和ゲイン抑圧部に閾値設定部の出力側を接続し、前記飽和ゲイン抑圧部の出力側を前記ゲイン設定器に接続し、これにより、所期の目的を達成するものである。
【発明の効果】
【０００７】
本発明は、マイクロホンと、このマイクロホンの出力側に接続されたＡＤ変換器と、このＡＤ変換器の出力側に接続された周波数分析器と、この周波数分析器の出力側に接続されたゲイン設定器と、このゲイン設定器の出力側に接続された周波数合成器と、この周波数合成器の出力側に接続されたＤＡ変換器と、このＤＡ変換器の出力側に接続されたレシーバーと、前記周波数分析器とゲイン設定器の間に、その入力側が接続され、その出力側が前記ゲイン設定器に接続されたゲイン調整器とを備え、前記ゲイン調整器は、前記周波数分析器とゲイン設定器の間にその入力側が接続されたチャンネルパワー演算部と、このチャンネルパワー演算部の出力側に並列接続された飽和ゲイン抑圧部及びゲインテーブル参照部とを有し、前記ゲインテーブル参照部の出力を飽和ゲイン抑圧部に接続すると共に、この飽和ゲイン抑圧部に閾値設定部の出力側を接続し、前記飽和ゲイン抑圧部の出力側を前記ゲイン設定器に接続したものであるので、電池寿命を長くすることが出来る。
【０００８】
即ち、本発明においては、ゲイン調整器のチャンネルパワー演算部で演算したチャンネル毎の合算した値が、その一つのチャンネルでも閾値設定部で設定した閾値よりも高いと、各チャンネルのゲインを各チャンネル毎に設定されたゲインテーブル参照部の値から飽和ゲイン抑圧部で減算し、その値をゲイン設定器に供給するようにしたので、周波数合成器においては、過大な入力が入ってくることが無く、その結果として、この周波数合成器及びその出力側のＤＡ変換器におけるビット幅を広くする必要は無く、これにより、電力消費を抑制出来るので、結論として、電池寿命を長くすることが可能となるものである。
【発明を実施するための最良の形態】
【０００９】
以下に、本発明の補聴器の実施の形態を図面とともに詳細に説明する。
【００１０】
（実施の形態１）
本実施形態における補聴器は、図１に示す如く、本体ケース１のフェースプレート２には、マイクロホン３と、電池挿入口４と、音量つまみ５が設けられ、さらに、フェースプレート２とは反対側に音口６が設けられている。
【００１１】
図２は、前記本体ケース１内に設けられた機能部品を電気的に示したものである。即ち、図１に示したマイクロホン３が最も上流側に配置され、このマイクロホン３と、このマイクロホン３の出力側に接続されたＡＤ変換器７と、このＡＤ変換器７の出力側に接続された周波数分析器８と、この周波数分析器８の出力側に接続されたゲイン設定器９と、このゲイン設定器９の出力側に接続された周波数合成器１０と、この周波数合成器１０の出力側に接続されたＤＡ変換器１１と、このＤＡ変換器１１の出力側に接続されたレシーバー１２と、前記周波数分析器８とゲイン設定器９の間に、その入力側が接続され、その出力側が前記ゲイン設定器９に接続されたゲイン調整器１３とを備えている。
【００１２】
また、前記ゲイン調整器１３は、前記周波数分析器８とゲイン設定器９の間にその入力側が接続されたチャンネルパワー演算部１４と、このチャンネルパワー演算部１４の出力側に並列接続された飽和ゲイン抑圧部１５及びゲインテーブル参照部１６とを有し、前記ゲインテーブル参照部１６の出力を飽和ゲイン抑圧部１５に接続すると共に、この飽和ゲイン抑圧部１５に閾値設定部１７の出力側を接続し、前記飽和ゲイン抑圧部１５の出力側を前記ゲイン設定器９に接続している。
【００１３】
さらに、前記周波数分析器８は、ＡＤ変換器７からゲイン設定器９に向けて直列に、バッファ部１８と、分析窓設定部１９と高速フーリエ変換部（以下、ＦＦＴと称す）２０が接続されている。
【００１４】
さらにまた、前記周波数合成器１０は、ゲイン設定器９の出力側に逆高速フーリエ変換部（以下、ＩＦＦＴと称す）２１を接続し、このＩＦＦＴ２１の出力側に、オーバーラップ加算部２２を接続すると共に、ＩＦＦＴ２１にバッファ部２３の入力側を接続し、このバッファ部２３の出力側に前記オーバーラップ加算部２２を接続し、このオーバーラップ加算部２２の出力側に前記ＤＡ変換器１１を接続した構成となっている。
【００１５】
なお、前記レシーバー１２から出力された音は、前記音口６を介して使用者の鼓膜へと放射される構成となっている。
【００１６】
以上の構成において、マイクロホン３から入った音は、図３に示す如くＡＤ変換器７で多ビットのデジタル信号に変換され、このデジタル信号がバッファ部１８を介して分割窓設定部１９に供給される。なお図３は、理解を容易にするために、マイクロホン３に入る音を正弦波として例示したものである。
【００１７】
この分割窓設定部１９においては、例えばハニング窓関数を用いて図３の入力を図４の如く変換する。この図４の値は、次に、ＦＦＴ２０により、時間軸の信号から周波数軸の信号へと、図５の如くフーリエ変換される。
【００１８】
このフーリエ変換された値は、ゲイン調整器１３のチャンネルパワー演算部１４へと供給され、ここで、図６に示す如く、その値は、チャンネル毎に分割される。さらにこのチャンネルパワー演算部１４は、図６に示す各チャンネルの周波数帯域における値を合算する。この時、デシベル状態での加算となるので、この図６に示す各チャンネルの最大値がそのチャンネルの合算値とほぼ同様のものとなる。
【００１９】
ここで注意すべきは、レシーバー１２から出力される音圧の制限値を図７に示す各チャンネルのゲイン特性からも理解されるように、例えば１１０デシベルとしている。このとき、閾値設定部１７における閾値は図８に示す図７の拡大図からも理解されるように、それぞれのチャンネル対して決定される、例えばチャンネル３の閾値は１１０デシベルとなる。このチャンネル３の閾値１１０デシベルに対して、図６からも理解される上記各チャンネルの合算値で、チャンネル３の合算値が１２０デシベルと前記チャンネル３の閾値１１０デシベルよりも大きくなっていることである。
【００２０】
飽和ゲイン抑圧部１５は、このようにチャンネル１からチャンネル５の前記合算値のうち少なくとも一つが閾値設定部１７の各チャンネルの閾値よりも大きくなった場合に、各チャンネルのゲインを全体的に下げることとなる。具体的には、図９は、ゲインテーブル参照部１６に収納された使用者各人毎に設定されたゲインテーブルを示しており、この図９からも理解されるように、チャンネル１からチャンネル５のゲインテーブルは、それぞれ異なった値となっている。
【００２１】
従って、飽和ゲイン抑圧部１５で抑圧した値もこのゲインテーブル参照部１６の特性を考慮した値となる。
【００２２】
この部分について、さらに詳細に説明すると、前述の如く、チャンネル３の合算値は１２０デシベルとなっており、チャンネル３の閾値が１１０デシベルであるので、閾値よりも大きくなっている。このとき、飽和ゲイン抑圧部１５で抑圧する値は、図１０からも理解されるように制限値になるように、チャンネル１からチャンネル５の全体に渡ってマイナス１０デシベルのゲイン抑圧を行うこととなる。
【００２３】
再び図６と図９に戻って、チャンネル１の値を確認すると、合算値は略５０デシベルとなっているので、このゲインテーブル参照部１６は、図９からも理解されるように、１０デシベル、ゲインを上げることを要求することとなる。
【００２４】
しかしながら、飽和ゲイン抑圧部１５においては、上述の如く１０デシベルゲインを下げることが設定されたので、結論として、このチャンネル１としてゲイン設定器９へは、図１１に示す如く、プラス１０デシベル引く１０デシベル＝０デシベルが伝達される。このため、チャンネル１の合算値５０デシベルは、このゲイン設定器９でなんらの加算、減算が行われず、この結果として、このチャンネル１に関しては、ゲイン設定器９から図１１の太線Ａで示す如く５０デシベルが出力されることとなる。
【００２５】
このようなことはチャンネル２からチャンネル５の各出力に対しても同様に行われるのであるが、特に特徴的なチャンネル３について説明を行うと、チャンネル３の合算値は、図６に示す如く１２０デシベルであったので、図９の１２０デシベルに対応させてみる。この図９に示す如く、０デシベルゲインを調整することになる。飽和ゲイン抑圧部１５においては、上述の如く１０デシベルゲインを下げることが設定されたので、結論として、このチャンネル１としてゲイン設定器９へは、図１１に示す如く、０デシベル引く１０デシベル＝マイナス１０デシベルが伝達される。その結果として、ゲイン設定器９の出力はこのチャンネル３に関しては、図１１に示す如く１１０デシベルの出力を行うことになる。
【００２６】
図１１における細線Ｂは、チャンネルパワー演算部１４におけるチャンネル１からチャンネル５の合算値を示しているが、上述した図６と図９に図示したチャンネル１からチャンネル５全てに渡り、それぞれ適切なマイナス１０デシベルの減算を行うことで、この図１１に示す如く、チャンネル１からチャンネル５では、それぞれに適切な減算が行われることとなる。
【００２７】
しかしここで重要なことは、閾値１１０デシベルを超えたチャンネル３の出力を図１１に示す如く１０デシベルも大幅に抑圧したが、チャンネル１からチャンネル５の補正後のゲイン設定器９からの出力は、補正前の特性に近似する図１１の細線Ｂとほぼ同じ傾向を示しており、このことが、使用者に対する違和感を与えないものとなることである。
【００２８】
そして、この図１１の太線Ａのゲイン設定器９からの出力が従来でも行われていたＩＦＦＴ２１による周波数軸の信号から時間軸の信号への変換が行われ、これがバッファ部２３及びオーバーラップ加算部２２を介した後、ＤＡ変換器１１でアナログ信号に変換され、レシーバー１２で音に変換され、これが音口６から前述の如く使用者の鼓膜へと放出されることとなる。
【００２９】
なお、本実施形態においては、前記チャンネル１からチャンネル５の周波数帯域幅を、チャンネル２＜チャンネル１＜チャンネル３＜チャンネル４＜チャンネル５と設定することで、使用者への使用感を高めている。ちなみに、チャンネル３は、略６００〜略１４００ヘルツとすることで、最も使用頻度の高いエリアをカバーする状態としている。その他、チャンネル１は略４００ヘルツ以下、チャンネル２は略４００〜略６００ヘルツ、チャンネル４は略１４００ヘルツ〜略２９００ヘルツ、チャンネル５は略２９００ヘルツ以上としている。
【００３０】
本実施形態においては、結論として、ゲイン設定器９からの出力を図１１の太線Ａの如く１１０デシベルを超えない状態とした、つまり、出力レベルを適切に抑制したので、それを扱う周波数合成器１０及びＤＡ変換器１１はビット幅を広げる必要はなく、よって、これら周波数合成器１０及びＤＡ変換器１１における電力消費を抑制することが出来、この結果として、図示していないが、図２に示す各部を動作させる電池の寿命を大幅に長くすることが出来る。
【産業上の利用可能性】
【００３１】
本発明は、マイクロホンと、このマイクロホンの出力側に接続されたＡＤ変換器と、このＡＤ変換器の出力側に接続された周波数分析器と、この周波数分析器の出力側に接続されたゲイン設定器と、このゲイン設定器の出力側に接続された周波数合成器と、この周波数合成器の出力側に接続されたＤＡ変換器と、このＤＡ変換器の出力側に接続されたレシーバーと、前記周波数分析器とゲイン設定器の間に、その入力側が接続され、その出力側が前記ゲイン設定器に接続されたゲイン調整器とを備え、前記ゲイン調整器は、前記周波数分析器とゲイン設定器の間にその入力側が接続されたチャンネルパワー演算部と、このチャンネルパワー演算部の出力側に並列接続された飽和ゲイン抑圧部及びゲインテーブル参照部とを有し、前記ゲインテーブル参照部の出力を飽和ゲイン抑圧部に接続すると共に、この飽和ゲイン抑圧部に閾値設定部の出力側を接続し、前記飽和ゲイン抑圧部の出力側を前記ゲイン設定器に接続したものであるので、電池寿命を長くすることが出来る。
【００３２】
即ち、本発明においては、ゲイン調整器のチャンネルパワー演算部で演算したチャンネル毎の合算した値が、その一つのチャンネルでも閾値設定部で設定した閾値よりも高いと、各チャンネルのゲインを各チャンネル毎に設定されたゲインテーブル参照部の値から飽和ゲイン抑圧部で減算し、その値をゲイン設定器に供給するようにしたので、周波数合成器においては、過大な入力が入ってくることが無く、その結果として、この周波数合成器及びその出力側のＤＡ変換器におけるビット幅を広くする必要は無く、これにより、電力消費を抑制出来るので、結論として、電池寿命を長くすることが可能となるものである。
【００３３】
従って、電池を用いる補聴器としての適用が大いに期待されるものとなる。
【図面の簡単な説明】
【００３４】
【図１】本発明の一実施形態を示す斜視図
【図２】その制御ブロック図
【図３】その動作説明図
【図４】その動作説明図
【図５】その動作説明図
【図６】その動作説明図
【図７】その動作説明図
【図８】その動作説明図
【図９】その動作説明図
【図１０】その動作説明図
【図１１】その動作説明図
【符号の説明】
【００３５】
１  本体ケース
２  フェースプレート
３  マイクロホン
４  電池挿入口
５  音量つまみ
６  音口
７  ＡＤ変換器
８  周波数分析器
９  ゲイン設定器
１０  周波数合成器
１１  ＤＡ変換器
１２  レシーバー
１３  ゲイン調整器
１４  チャンネルパワー演算部
１５  飽和ゲイン抑圧部
１６  ゲインテーブル参照部
１７  閾値設定部
１８  バッファ部
１９  分析窓設定部
２０  ＦＦＴ
２１  ＩＦＦＴ
２２  オーバーラップ加算部
２３  バッファ部
【図１】
2010171674.tif 000003
【図２】
2010171674.tif 000004
【図３】
2010171674.tif 000005
【図４】
2010171674.tif 000006
【図５】
2010171674.tif 000007
【図６】
2010171674.tif 000008
【図７】
2010171674.tif 000009
【図８】
2010171674.tif 000010
【図９】
2010171674.tif 000011
【図１０】
2010171674.tif 000012
【図１１】
2010171674.tif 000013